(57)【特許請求の範囲】
【請求項１】
合成樹脂を素材として、裏面に設置部を具えた底面部と、底面部の長手方向の両側に起立する側面部と、両側面部の上端から外側に延設した上縁部とを一体形成して、両端部を開放し、適宜の深さと長さを有して、かつ、両端に連結手段を設けた主体部材を成形し、この主体部材の連結手段とそれぞれ整合する連結手段を両端に具えた同形の主体部材を前後に継ぎ足せるようにした養液土耕栽培用プランターにおいて、前記主体部材の両端に、継ぎ足す主体部材の端部との重ね幅に見合う幅を有して、それぞれ底面部の端から適宜の高さに立ち上げられ、両側を側面部の下部に連続させた連結部を形成する一方、この連結部に、外形を連結部の内形に沿うように形成した仕切り板を嵌め込み、該仕切り板の上部両側に備えた掛止部を連結部の上端に備えた嵌合孔に嵌め、同仕切り板の下縁を上記連結部の底部に備えた溝に嵌め込んで、前記主体部材の開放した端部を閉鎖するとともに、前記主体部材に形成する一端の連結部は、前記連結部の幅に対応して端面部を後退させた前記設置部の垂直部と、垂直部の上端から水平に連結部の幅に対応して延設した水平部とでL字形に構成し、他端の連結部は、上記一端の連結部の底部の裏側に上面を沿わせる水平部と、継ぎ足す主体部材の設置部の他端面部に接合する垂直面とでL字形に構成し、上記連結部の底部の両側に、継ぎ足す主体部材の側面部に外側から重ね合わされる側面部を起立させ、該側面部の上端に、継ぎ足す主体部材の上縁部の裏面に重ね合わされる上縁部を具え、この上縁部に前記嵌合孔を設け、継ぎ足される側の主体部材の上端部と、継ぎ足す側の主体部材の上端部とに備えた両嵌合孔を一致させた位置で前記仕切り板の掛止部を嵌め込んで、２以上の主体部材を長さ方向に連結させるようにするとともに、前記底部に溝部を設けた連結部の裏面と、継ぎ足す側の主体部材の連結部の上面とに、互いに噛み合って連結部の後退を阻止する突条をそれぞれ設けたことを特徴とする養液土耕栽培用プランター。
【発明の詳細な説明】
【技術分野】
【０００１】
本発明は、主として養液土耕栽培用に用いられるプランターに関し、特にプランターを容易に使用できるようにしたことを特長とする。
【背景技術】
【０００２】
近年、養液土耕栽培は大量の養液を循環使用する水耕栽培に比べて、栽培の管理が容易で、養液の使用量が少なく、設備も比較的に簡単であるところから一般に普及しつつある。
養液土耕栽培技術に関しては、例えば、特許文献１がある。また、養液土耕栽培用のプランターには、本出願人の先願に、特許文献２がある。
【０００３】
【特許文献１】特開２００１−６９８５６号公報（例えば、第１頁参照）
【特許文献２】特開２００５−２４５２６４号公報（例えば、第１頁、図１参照）
【０００４】
本出願人の先願に係る特許文献２のプランターは、底面部の両端に形成する連結部の立ち上がり高さが低かったので底面部上に留まるべき養液が継ぎ目の間から漏れるとか、耕土にとどめられる養液の量が少ないとか、連結部分の構造が弱くて耐用性に劣るなどの問題を生じた。
【発明の開示】
【発明が解決しようとする課題】
【０００５】
以上のことから、本発明が解決しようとする課題は、プランターに収容した耕土に含まれるべき養液の量を増やせるようにすることと、連結部分の構造を強化して養液漏れとか、プランターの連結部の脱落などを防止できるようにすることにある。
【課題を解決するための手段】
【０００６】
そこで本発明は、上記の課題を解決するために、合成樹脂を素材として、裏面に設置部を具えた底面部と、底面部の長手方向の両側に起立する側面部と、両側面部の上端から外側に延設した上縁部とを一体形成して、両端部を開放し、適宜の深さと長さを有し、かつ、両端に連結手段を設けた主体部材を成形し、この主体部材の連結手段とそれぞれ整合する連結手段を両端に具えた同形の主体部材を前後に継ぎ足せるようにした養液土耕栽培用プランターにおいて、前記主体部材の両端に、継ぎ足す主体部材の端部との重ね幅に見合う幅を有して、それぞれ底面部の端から適宜の高さに立ち上げられ、両側を側面部の下部に連続させた連結部を形成する一方、この連結部に、外形を連結部の内形に沿うように形成した仕切り板を嵌め込み、該仕切り板の上部両側に備えた掛止部を連結部の上端に備えた嵌合孔に嵌め、同仕切り板の下縁を上記連結部の底部に備えた溝部に嵌め込んで、前記主体部材の開放した端部を閉鎖するとともに、主体部材に形成する一端の連結部を、連結部の幅に対応して端面部を後退させた設置部の垂直部と、垂直部の上端から水平に連結部の幅に対応して延設した水平部とでL字形に構成し、他端の連結部を、上記一端の連結部の底部の裏側に上面を沿わせる水平部と、継ぎ足す主体部材の設置部の他端面部に接合する前端面とでL字形に構成し、上記連結部の底部の両側に、継ぎ足す主体部材の側面部に外側から重ね合わされる側面部を起立させ、該側面部の上端に、継ぎ足す主体部材の上縁部の裏面に重ね合わされる上縁部を具え、連結部の上端に嵌合孔を設け、継ぎ足される側の主体部材の上端部と、継ぎ足す側の主体部材の上端部とに備えた両嵌合孔を一致させた位置で仕切り板の掛止部を嵌め込んで、２以上の主体部材を長さ方向に連結させるようにするとともに、底部に溝部を設けた連結部の裏面と、継ぎ足す側の主体部材の連結部の上面とに、互いに噛み合って連結部の後退（分離）を阻止する突条をそれぞれ設けたことを特徴とする養液土耕栽培用プランターを提供するものである。
【発明の効果】
【０００７】
本発明に係る溶液土耕栽培用プランターは、主体部材の両端に、継ぎ足す主体部材の端部との重ね幅に見合う幅を有して、底面部から適宜の高さに立ち上げられ、側面部の下部と連続する連結部を具えているので、プランター内に収容した耕土に含まれる養液の量を増すことができ、かつ、連結部分からプランター外に養液が漏れ出すおそれも防止できる。
また、本発明に係るプランターを単独で用いる場合と、２個以上を連結して用いる場合に、主体部材の開放した端部に装着した仕切り板が、主体部材の上端の嵌合孔部と仕切り板側の掛止部との嵌合と、連結部の底部の溝部との嵌合とにより強固に主体部材の閉鎖状態を保持するので、連結部分の構造が強化され、連結部の脱落とか、プランター外への養液の漏れが防止される。
本発明は、以上のようにして前記の課題を解決したものである。
【発明を実施するための最良の形態】
【０００８】
合成樹脂を素材として、裏面に設置部を具えた底面部と、底面部の長手方向の両側に起立する側面部と、両側面部の上端から外側に延設した上縁部とを一体形成して、両端部を開放し、適宜の深さと長さを有し、かつ、両端に連結手段を設けた主体部材を成形し、この主体部材の連結手段とそれぞれ整合する連結手段を両端に具えた同形の主体部材を前後に継ぎ足せるようにした養液土耕栽培用プランターにおいて、
前記主体部材の両端に、継ぎ足す主体部材の端部との重ね幅に見合う幅を有して、それぞれ底面部の端から適宜の高さに立ち上げられ、両側を側面部の下部に連続させた連結部を形成する。
上記連結部に、外形を連結部の内形に沿うように形成した仕切り板を嵌め込み、
仕切り板の上部両側に備えた掛止部を連結部の上端に備えた嵌合孔に嵌め、同仕切り板の下縁を上記連結部の底部に備えた溝部に嵌め込む。
該仕切り板の装着により、主体部材の開放した端部を閉鎖するように構成したプランター。
【実施例】
【０００９】
以下に、本発明の実施例を図面について説明する。
図１は、実施例の使用状態の１例を示す一部切欠分解斜視図、図２は、同形２個の実施例の連結部分を示す拡大断面図である。
【００１０】
実施例を示す図において、１は同形２個の主体部材、２は、主体部材１の端部に装着される仕切り板である。
主体部材１は、合成樹脂を素材として、裏面に枠形の設置部３を具えた底面部４と、底面部４の長手方向の両側に起立する側面部５と、両側面部５の上端から外側に延設した上縁部６とを一体に形成し、開放した両端に連結部７を設けた合成樹脂製の成形体である、
【００１１】
主体部材１の両端に設けた連結部７は、継ぎ足す主体部材１の端部との重ね幅に見合う幅Ｂを有して、それぞれ底面部４の端から適宜の高さに立ち上げられ、両側を側面部５の下部に連続する。
一方の連結部７ａ（図示左側）は、図示のように、連結部７の幅Ｂに対応して端面部を後退させた設置部３の垂直部ａと、垂直部ａの上端から水平に連結部の幅Ｂに対応して延設した水平部ｂとでL字形に構成され、他端の連結部７ｂは、上記一端の連結部７ａの水平部ｂの裏側に上面を沿わせる水平部ｃと、継ぎ足す主体部材１の設置部３の他端面部（垂直部ａ）に接合する垂直部ｄとでL字形に構成されている。
【００１２】
一方の連結部７ａは、上端に側面部５から上縁部６にかけて長方形に開口して、前記仕切り板２の上部両側に鈎形に備えた掛止部８を嵌合する左右計２個の嵌合孔９を有する。
また、一方の連結部７ａの底部となる上記水平部ｂは、上面の左右に突出する計４個の突条１０の間に、仕切り板２の下縁部２’を嵌合する溝部１１を形成している。
また、他端の連結部７ｂは、図１に示すように、底部上面の枠１２内に突条１３を具え、上記一方の連結部７ａの底部裏面に突条１４を具え、両突条１３、１４は、２個の主体部材１の連結部７ａ、７ｂを図２に示すように重ね合わせたときに互いに噛み合うように係合して、連結部７の後退（脱出）を阻止するように備えられている。
なお、他端の連結部７ｂは、継ぎ足される側の側面部５の外側に重ね合わされる側面部５ａを有する。
【００１３】
次ぎに以上の構成を備えたこの主体部材１の使用について述べると、
主体部材１を単独で使用する場合は、前後の連結部７にそれぞれ仕切り板２を挿入し、上端の左右の掛止部８を、連結部７の前後左右の上端に開口している計４個の嵌合孔９にそれぞれ嵌入させるとともに、連結部７の底部の溝部１１に下縁２’を嵌合させると１個のプランターが完成する。
また、主体部材１を２個以上連結する場合は、図２に示すように、上記他端の連結部７ｂの上に他方の主体部材１の連結部７ａを重ね合わせて、双方の連結部７の上端に開口している計４個の嵌合孔９を上下で整合させると、仕切れ板２の掛止部８を嵌入させることができ、仕切り板２を介して、長さ方向に任意数継ぎ足すことができる。
なお、図２中１５は、虚線で示すように、主体部材１の底部に敷設したすのこ、１６は余剰の養液とか灌水を図示省略の排水孔に向けて排出する排水溝、１７は主体部材１の上縁部６に配置したフィルム張設用支柱の差込孔である。
【産業上の利用可能性】
【００１４】
本発明に係る養液土耕栽培用プランターの使用は、養液土耕栽培に限らず、一般家庭用にも使用できることはいうまでもない。
また、幅、高さ、前後の長さのほか、連結部、開口部など各部の形態は、本発明の目的に沿って、実施例の態様のみに限定されるものではない。
【図面の簡単な説明】
【００１５】
【図１】実施例の使用状態の１例を示す一部切欠分解斜視図である。
【図２】同形２個の実施例の連結部分を示す拡大断面図である。
【符号の説明】
【００１６】
１  主体部材
２  仕切り板
３  設置部
４  底面部
５  側面部  （５ａ  側面部）
６  上縁部
７  連結部（７ａ、７ｂ  連結部）
Ｂ  連結部の幅
ａ  垂直部
ｂ  水平部
ｃ  水平部
ｄ  垂直部
８  掛止部
９  嵌合孔
１０  突条
１１  溝部
１２  枠
１３  突条
１４  突条
１５  すのこ
１６  排水溝
１７  差込孔
【図１】
0004588605.tif 000002
【図２】
0004588605.tif 000003